(57)【要約】【課題】  従来の吹出グリルにおいては、風向調整用のガイドベーンを設けて、風向を可変としていた。しかし、風向のみの制御であり、ガイドベーンや吹出口近傍の着露を防止する構成とはなっていなかった。【解決手段】  本発明の吹出グリルは、中空の枠体と枠体内に設置された風向調整用のベーンとを備え、枠体の内面で形成され、吹出し風路を形成する中空部の開口が吹出し方向に向かって狭まるように形成されたものであり、ベーンへの吹出し空気の流れが剥離するのを防止し、冷房運転における着露を防止する。【選択図】        図３
2005147411.tif 000002
【特許請求の範囲】
【請求項１】
中空の枠体と前記枠体内に設置された風向調整用のベーンとを備え、前記枠体の内面で形成され、吹出し風路を形成する中空部の開口が吹出し方向に向かって狭まるように形成されることを特徴とする吹出グリル。
【請求項２】
前記枠体の中空部の断面形状が四角形であり、前記中空部を形成する２組の対向二内面のうち、前記ベーンが動作したとき、前記ベーンとの間隔が変化する対向二内面が、吹出し方向に向かって開口を狭めるように傾斜して形成されることを特徴とする請求項１に記載の吹出グリル。
【請求項３】
中空部の断面形状が四角形である中空の枠体と、前記枠体の対向二内面間に設置された風向調整用のベーンとを備え、
前記ベーンは、前記枠体の前記対向二内面に前記枠体の外側からそれぞれ差し込まれた回転軸により、前記対向二内面側の端部を軸支され、前記回転軸を中心に回動可能に位置設定されることを特徴とする吹出グリル。
【請求項４】
前記ベーンの回動による位置設定は、前記枠体の対向二内面内で、それぞれの内面側に同じく回動可能であることを特徴とする請求項３に記載の吹出グリル。
【請求項５】
前記枠体の中空部内で、前記ベーンが設置される対向二内面と別の対向二内面間に桟を設け、該桟は前側に突出する断面鋸歯状の突出部を有し、
前記ベーンは、前記鋸歯状の突出部間の凹部上を通過して対向二内面間に設置されることにより、前記鋸歯状の隣接の突出部が、前記ベーンの回動時の両回動側のストッパーとなることを特徴とする請求項３又は請求項４に記載の吹出グリル。
【請求項６】
請求項１〜請求項５のいずれかの請求項に記載の吹出グリルと、吸込グリルと、室内ユニット本体と、前記吸込グリルと前記室内ユニット本体とを接続する風路と、室外ユニット等とを備えたことを特徴とする空気調和機。
【請求項７】
吹出グリルと、吸込グリルと、室内ユニット本体と、前記吸込グリルと前記室内ユニット本体とを接続する風路と、室外ユニット等とを備え、
前記吸込グリルは、中空部の断面形状が四角形であり、上下の対向二内面が吹出し方向に向かって開口を狭めるように傾斜して形成される中空の枠体と、
前記枠体の左右の対向二内面間に設置され、前記左右の対向二内面に前記枠体の外側からそれぞれ差し込まれた回転軸により前記左右の対向二内面側の端部を軸支され、前記回転軸を中心に回動可能に位置設定される風向調整用のベーンと、
前記枠体の上下の対向二内面間に設置され、前側に突出する断面鋸歯状の突出部を持つ桟とを有し、
更に、前記ベーンは、前記鋸歯状の突出部間の凹部上を通過して前記左右の対向二内面間に設置されることにより、前記鋸歯状の隣接の突出部が、前記ベーンの回動時の両回動側のストッパーとなることを特徴とする空気調和機。
【発明の詳細な説明】
【技術分野】
【０００１】
本発明は吹出グリル及びこれを備えた空気調和機に関し、特に、吹出グリルの改良に関するものである。
【背景技術】
【０００２】
従来の空気調和機の空気吹出装置に関しては、例えば、特許文献１に次の記載がある。
「通風路４の空気吹出口３付近の一部位に、通風路４に直交する回転軸回りに回動自在にかつ回転軸位置に対応する基部から通風路４の上流側に向かって延びる通風路分割部材（ガイドベーン）２０を設ける。このガイドベーン２０を回動機構２１で回動させることで、先端における通風路４の分割割合を変更し、絞り側通路における気流速度を増大させ、風量の低減を抑制しかつ見栄えを良好に保ちながら、気流の到達度を調節する。」（例えば、特許文献１参照。）。
【特許文献１】特開平６−３４１９７号公報（第３頁、第４頁、図１）
【発明の開示】
【発明が解決しようとする課題】
【０００３】
しかしながら、上記従来の空気調和機の空気吹出装置では、主として風向を制御するものでガイドベーン２０や空気吹出口３近傍への着露を防止する配慮はなされていない。
【０００４】
本発明は、空気吹出口である吹出グリルの改良を目的とするものであり、まず、吹出グリルの風向調整用のベーンに着露するのを防ぐことを目的とする。
また、吹出グリルを部屋の上部又は下部に据え付ける際、吹出グリルを上下反対にして据え付ける必要がない吹出グリルとすることを目的とする。
また、ベーンの取り付けを容易とすることを目的とする。
【課題を解決するための手段】
【０００５】
本発明に係る吹出グリルは、中空の枠体と枠体内に設置された風向調整用のベーンとを備え、枠体の内面で形成され、吹出し風路を形成する中空部の開口が吹出し方向に向かって狭まるように形成されたものである。
【発明の効果】
【０００６】
本発明に係る吹出グリルは、中空の枠体と枠体内に設置された風向調整用のベーンとを備え、枠体の内面で形成され、吹出し風路を形成する中空枠体の開口が吹出し方向に向かって狭まるように形成されたので、ベーンによる風向調整ができるとともに、ベーンが枠体の内面との間隔を開くように動作しても、吹出し空気がベーンから剥離することが防止でき、冷房運転時においてもベーンに着露することが防止できる。そこで、吹出グリルの改良となる。
【発明を実施するための最良の形態】
【０００７】
以下、本発明の実施の形態を図面を参照して説明する。
実施の形態１．
図１は、本発明の実施の形態１による空気調和機の室内ユニットの全体を示す斜視図であり、図２は、同じく室内ユニットの吹出グリルの正面図（ａ）及び側面図（ｂ）であり、図３は、同じく室内ユニットの吹出グリルの縦断面図（図２（ａ）のＡ−Ａ線断面図）である。
本実施の形態の空気調和機は、図１に示す室内ユニットと図示しない室外ユニットとを配管接続したものである。この室内ユニットは、吸込グリル３、吸込グリル用の据付枠２、吸込グリル３と室内ユニット本体１を接続する風路１７、室内ユニット本体１、吹出グリル用据付枠４及び吹出グリル５等から構成される。室内ユニット本体１は、内部に送風機、熱交換器等を有し、壁８を境として、空調する部屋側と反対側（以下、壁面内とする）に設置される。また、吸込グリル３と吹出グリル５とは並列に壁面に設置される。このとき、吸込グリル３と吹出グリル５とは垂直壁８の開口部に一部埋め込まれ、その前面が壁面から若干出るように設置される。即ち、室内ユニットの設置が、いわゆる地袋設置又は天袋設置の例である。
【０００８】
室内ユニットの吹出口を形成する吹出グリル５の構造について詳細に説明する。
吹出グリル５は、外側を囲う枠状の枠体５ａ、この中空の枠体５ａの中空部を中央において左右に分割し、上下の対向二内面間に設置した桟１１、枠体５ａの左右の二内面間に設置し、吹出し空気の風向を上下方向間に調整する複数（本例では、３個）のベーン９等から構成される。中空の枠体５ａの中空部は、断面形状が四角形であり、即ち、吹出し空気方向と垂直断面の断面形状が左右に長い矩形である。そこで、吹出グリル５の風路は、枠体５ａの形成する中空部を桟１１とベーン９とで分割される。
【０００９】
桟１１には、図３に示すように前側（吹出し方向の前側）に向かって、断面鋸歯状の突出部であるストッパー１２が形成され、ベーン９の回動動作の回動の限度となるストッパー部となる。
ベーン９は、枠体５ａの中空部の左右の対向二内面間に延設される長形の板状体であり、その奥側（吹出し方向の後側）の端部であって、かつ、枠体５ａの左右の対向二内面側の端部に、枠体５ａの外側から枠体５ａの両側部に、それぞれ差し込まれた回転軸１０が挿入され、ベーン９が回転可能に軸支される。そして、ベーン９は回転軸１０を中心に回動可能にされ、ベーン９が位置設定されることにより吹出し空気の風向を調整する。なお、図３の白抜きの矢印は、吹出し空気の方向を示す。
【００１０】
また、ベーン９は、桟１１の断面鋸歯状の突出部間の凹部上を通過するように配置され、左右の対向二内面間に延設される。そこで、ベーン９が図３に示す水平方向から上下方向に回転軸１０を中心に回動するとき、隣接突出部の上ストッパー部１２ａ及び下ストッパー部１２ｂにより、それぞれ、上下の回動が停止される。ベーン９は、このように回転軸１０を中心にストッパー１２の上ストッパ部１２ａ、下ストッパ部１２ｂ間で回転し、板状体のベーン９の板面に沿って吹出し空気が流れるように風向を調整する。回動によりベーン９の板面が当たる上下ストッパ部１２ａ、１２ｂのストッパ面は、図３に示すように、ベーン９が回転軸１０を中心として回動したときに、それぞれ、ベーン９の上下の板面が形成する所定の角度をなす。そこで、ベーン９は、水平方向から上下に対称に所定の角度傾くことができる。即ち、ベーン９は、上下の対向二内面側に同じく回動可能であるので、吹出グリル５を部屋の上部又は下部に据付ける際に、上部据付けでは下向きとし又下部据付けでは上向きとするのに、ベーンが一方のみに回動の吹出グリルのように、吹出グリルを上下反対にして据え付ける必要がない。
【００１１】
回転軸１０は、図２（ｂ）に示すように、枠体５ａの外側から枠体の左右の側部に差し込まれ、ベーン９の左右の端部に挿入され、ベーン９を軸支する。そこで、従来は、中空部の左右の両端に上下の対向二内面間の桟を設け、この桟に支持金具等で回転軸を設置してベーンを取付けていたが、このような上下の桟及び支持金具等が不要となり、ベーン９の取付けが容易となる。また、左右両端に桟を設けた場合、この桟に着露し易かったが、この着露も防止できる。
【００１２】
吹出口を形成する吹出グリル５の枠体５ａの上下の対向二内面は、図３に示すように、吹出し方向に向かって中空部の開口が狭まるように傾斜している。上の内面は下方に傾斜する上傾斜部５ｂをなし、下の内面は上方に傾斜する下傾斜部５ｃをなす。このようにすれば、開口が吹出し方向に向かって狭まることにより、吹出し空気はよりベーン９方向に向かい、ベーン９の上面、下面方向により向かうようになり、吹出し空気流のベーン９の面からの剥離は防止できる。特に、ベーン９が上下に回動するように、中空部の下内面、上内面からの間隔が広がるように回動しても、吹出し空気の流れのベーン９の面からの剥離は防止できる。そこで、冷房運転時にもベーン９への着露が防止できる。即ち、ベーン９が動作したとき、ベーン９との間隔が変化する上内面及び下内面が吹出し方向に向かって開口を狭めるように傾斜して形成されることにより、ベーン９への着露を防止する。
【００１３】
次に、吹出グリル５の壁８への設置について説明する。
吹出グリル５の枠体５ａは、後方に設置する据付枠４の前面部に取付ける。なお、据付枠４は壁８の内側に通された梁に固定される。また、据付枠４は、空気の流れ方向に垂直の断面形状が枠体５ａの中空部と同じく矩形形状である中空枠体である。この据付枠４の前面部に吹出グリル５の枠体５ａの後面部を固定するが、それぞれ、両者に固定した金属具をねじ止めする等により行う。また、吹出グリル５の枠体５ａには、後端部の外側寄りに、図３に示すように、四辺とも断面ほぼ矩形状の切欠き５ｂを形成する。据付枠４に吹出グリル５を取り付けたとき、吹出グリル５の切欠き５ｂと据付枠４の前面部とで、四辺に亘って外側に開口する溝が形成され、この溝に壁８の開口の壁端部を埋め込むことにより、吹出グリル５を壁８に設置する（図３参照）。
吸込グリル３の壁８への設置も、据付枠２を使用して同様に行う。
【００１４】
このような空気調和機は、室内ユニット本体１内の送風機により、吸込グリル３から部屋の空気を吸込み、この空気を壁面内で風路１７を形成する密閉空間を経て室内ユニット本体１に吸込み、熱交換器で熱交換し、温度調節等実施した後、室内ユニット本体１に接続された吹出グリル５から部屋へ吹出す。なお、図１に白ぬき矢印で空気の流れを示す。
【００１５】
吹出グリル５の壁８への取付けは、枠体５ａに設けた切欠き５ｂと据付枠４の端部で形成した溝に壁８の端部を埋め込むようにして行い、設置安定性及び意匠上の効果を得ているが、このようにせずに、切欠き５ｂ及び溝を設けず、壁８の端部を埋め込まずに、吹出グリル５の側部に当接するようにしてもよく、ほぼ同様の効果が得られる。また、吸込グリルも同様である。
【００１６】
また、吹出グリル５及び吸込グリル３を垂直壁８に取付け、壁内に室内ユニットを設置した場合で説明してきたが、室内ユニットの設置は、壁内の他、天井内又は床下でもよく、それに応じて吸込グリル３、吹出グリル５の取付けを、例えば、天井面等変化させる。そこで、ベーン９を設置する枠体５ａの中空部の左右の対向二内面及び桟１１を設置する上下の対向二面は、それぞれ、ベーン９を設置する枠体５ａの中空部の対向二内面及びベーン９が設置される対向二内面と別の対向二内面となる。そして、このような吹出グリル５を有する室内ユニット（空気調和機）も、垂直壁８に取付けた場合と同様の効果を有する。
【００１７】
更に、本吹出グリル５を有する室内ユニット（空気調和機）は、風路１７をダクトとし、吸込口（吸込グリル３）と室内ユニット本体１をこのダクトで接続することにより、吸込口（吸込グリル３）を複数としてもよく、また、吹出口である吹出グリル５も複数としてもよい。この場合の吹出グリル５の効果も同様である。
【産業上の利用可能性】
【００１８】
本発明の吹出グリル５は、室内ユニットを壁内、天井内又は床下に設置する空気調和機に適用して有効に利用できる。
【図面の簡単な説明】
【００１９】
【図１】本発明の実施の形態１による空気調和機の室内ユニットの全体を示す斜視図である。
【図２】本発明の実施の形態１による空気調和機の室内ユニットの吹出グリルを示す正面図及び側面図である。
【図３】本発明の実施の形態１による空気調和機の室内ユニットの吹出グリルを示す縦断面図である。
【符号の説明】
【００２０】
１  室内ユニット本体、３  吸込グリル、５  吹出グリル、５ａ  枠体、９  ベーン、１０  回転軸、１１  桟、１２  ストッパー、１７  風路。
【図１】
2005147411.tif 000003
【図２】
2005147411.tif 000004
【図３】
2005147411.tif 000005